(57)【要約】【課題】２つのブラシの相対位置を調整可能とすることで、操作部の回転方向及び回転量を高精度に検出可能なレンズ装置を提案する。【解決手段】レンズ装置は、光軸を中心とする周方向に配置される複数の導通部１０８ａを有する環状基板１０８と、環状基板１０８を固定するベース部１０９と、複数の導通部１０８ａ上を周方向に摺動可能な第１のブラシ１１５と、第１のブラシ１１５を保持する第１の保持部１１６と、第１のブラシ１１５から周方向に間隙をもって配置され、複数の導通部１０８ａ上を周方向に摺動可能な第２のブラシ１１２と、第２のブラシ１１２を保持する第２の保持部１１３と、第１の保持部１１５及び第２の保持部１１３を固定する固定部１０２ｄと、を備える。固定部１０２ｄは、凹部１０２ｃを有し、第１の保持部１１５は、凹部１０２ｃに係合する凸部１１６ａを有する。【選択図】図６
2020034831.tif 000002
【特許請求の範囲】
【請求項１】
光軸を中心とする周方向に配置される複数の導通部を有する環状基板と、
前記環状基板を固定するベース部と、
前記複数の導通部上を前記周方向に摺動可能な第１のブラシと、
前記第１のブラシを保持する第１の保持部と、
前記第１のブラシから前記周方向に間隙をもって配置され、前記複数の導通部上を前記周方向に摺動可能な第２のブラシと、
前記第２のブラシを保持する第２の保持部と、
前記第１の保持部及び前記第２の保持部を固定する固定部と、を備え、
前記ベース部は、前記固定部に対して前記周方向に回転可能であり、
前記第１の保持部及び前記固定部の一方は、凹部を有し、
前記第１の保持部及び前記固定部の他方は、前記凹部に係合する少なくとも１つの凸部を有する、
ことを特徴とするレンズ装置。
【請求項２】
前記第１の保持部は、第１の平面部を有し、
前記固定部は、前記第１の平面部に接触する第２の平面部を有し、
前記第１の保持部は、前記凹部及び前記少なくとも１つの凸部が係合した状態で前記第２の平面部上を直線的にスライドすることで前記間隙を調整可能である、
ことを特徴とする請求項１に記載のレンズ装置。
【請求項３】
前記第２の保持部は、第３の平面部を有し、
前記固定部は、前記第３の平面部に接触する第４の平面部を有する、
ことを特徴とする請求項２に記載のレンズ装置。
【請求項４】
前記第２及び第４の平面部は、前記環状基板の所定の一点における法線に垂直な平面である、
ことを特徴とする請求項３に記載のレンズ装置。
【請求項５】
前記第１の保持部は、前記第２の平面部上に固定され、
前記第２の保持部は、前記第４の平面部上に固定される、
ことを特徴とする請求項４に記載のレンズ装置。
【請求項６】
前記光軸に交差する平面内において、前記第２の平面部の幅は、前記第４の平面部の幅よりも大きい、
ことを特徴とする請求項５に記載のレンズ装置。
【請求項７】
前記第１の保持部は、前記第１の平面部に長穴を有し、
前記固定部は、前記第２の平面部に前記長穴と重なる丸穴を有し、
前記第１の保持部は、ビスを前記長穴から前記丸穴に通すことで、前記固定部に固定される、
ことを特徴とする請求項２乃至６のいずれか１項に記載のレンズ装置。
【請求項８】
前記第１の保持部は、バネワッシャを介して前記ビスにより前記固定部に固定される、
ことを特徴とする請求項７に記載のレンズ装置。
【請求項９】
前記第１の保持部は、前記第１の平面部に第１の調整穴を有し、
前記固定部は、前記第２の平面部に前記第１の調整穴と重なる第２の調整穴を有し、
前記第１の保持部は、偏心ピンを前記第１及び第２の調整穴に挿入し、かつ前記偏心ピンを回転させることで、前記第２の平面部上をスライド可能である、
ことを特徴とする請求項２乃至８のいずれか１項に記載のレンズ装置。
【請求項１０】
前記第１の保持部は、前記少なくとも１つの凸部を有し、
前記固定部は、前記凹部を有する、
ことを特徴とする請求項１乃至９のいずれか１項に記載のレンズ装置。
【請求項１１】
前記少なくとも１つの凸部は、複数の凸部である、
ことを特徴とする請求項１乃至１０のいずれか１項に記載のレンズ装置。
【請求項１２】
ユーザがレンズ位置をマニュアル操作によって変更可能な操作部をさらに備え、
前記ベース部は、前記操作部に連動して回転する、
ことを特徴とする請求項１乃至１１のいずれか１項に記載のレンズ装置。
【請求項１３】
前記操作部の回転方向及び回転量は、前記第１及び前記第２のブラシと前記複数の導通部との接触／非接触を電気的に処理することで検出される、
ことを特徴とする請求項１乃至１２のいずれか１項に記載のレンズ装置。
【請求項１４】
前記第１及び第２のブラシは、それぞれ、径方向に並んで配置される複数の導電端子を有する、
ことを特徴とする請求項１乃至１３のいずれか１項に記載のレンズ装置。
【請求項１５】
請求項１乃至１４のいずれか１項に記載のレンズ装置と、
前記レンズ装置からの光を受光する撮像素子を有するカメラ本体と、を備える、
ことを特徴とするカメラシステム。
【発明の詳細な説明】
【技術分野】
【０００１】
本発明は、レンズ装置及びカメラシステムに関する。
【背景技術】
【０００２】
デジタルカメラ、ビデオカメラなどのカメラシステムのなかには、フォーカスレンズ、ズームレンズなどのレンズ位置をマニュアル操作によって変更可能な機能を有するものがある。ユーザは、レンズ鏡筒などのレンズ装置に備え付けられた操作部を回転させることで、当該レンズ位置の調整を行うことができる。この場合、操作部の回転方向及び回転量を正確に検出することが重要となる。
【０００３】
操作部の回転方向及び回転量を検出するための検出装置は、レンズ鏡筒の周方向に所定の規則で配置される複数の導通部と、当該複数の導通部上を周方向に摺動するブラシと、を備える。ブラシは、操作部の回転量に応じて、複数の導通部上を一定距離だけ移動するため、当該ブラシと当該導通部との接触の有無を電気的に検出することで、操作部の回転方向及び回転量を検出できる。また、２つのブラシを周方向に並べて配置すれば、操作部の回転方向及び回転量の検出精度を向上できる。この場合、２つのブラシの相対位置が重要となる。
【先行技術文献】
【特許文献】
【０００４】
【特許文献１】特開平１０−８２９４４号公報
【特許文献２】特開２００３−２０２４８９号公報
【発明の概要】
【発明が解決しようとする課題】
【０００５】
特許文献１は、複数の導通部と、当該複数の導通部上を摺動するブラシとにより、操作部の回転方向及び回転量を検出する検出装置を開示する。しかし、特許文献１は、２つのブラシの相対位置の調整について何ら開示しない。また、特許文献２は、周方向に配置される２つのブラシの位置を調整する技術を開示する。しかし、この調整は、２つのブラシの相対位置を調整するものではなく、当該２つのブラシの周方向の位置を調整するものである。即ち、特許文献２の技術の場合、２つのブラシの間隔は、一定であるため、操作部の回転方向及び回転量を高精度に検出するための調整が行えない。
【０００６】
本発明は、少なくとも２つのブラシにより操作部の回転方向及び回転量を検出する検出装置を備えるレンズ装置において、当該２つのブラシの相対位置を調整可能とすることで、当該回転方向及び回転量を高精度に検出することを目的とする。
【課題を解決するための手段】
【０００７】
本発明の例に係るレンズ装置は、光軸を中心とする周方向に配置される複数の導通部を有する環状基板と、前記環状基板を固定するベース部と、前記複数の導通部上を前記周方向に摺動可能な第１のブラシと、前記第１のブラシを保持する第１の保持部と、前記第１のブラシから前記周方向に間隙をもって配置され、前記複数の導通部上を前記周方向に摺動可能な第２のブラシと、前記第２のブラシを保持する第２の保持部と、前記第１の保持部及び前記第２の保持部を固定する固定部と、を備え、前記ベース部は、前記固定部に対して前記周方向に回転可能であり、前記第１の保持部及び前記固定部の一方は、凹部を有し、前記第１の保持部及び前記固定部の他方は、前記凹部に係合する少なくとも１つの凸部を有する。
【発明の効果】
【０００８】
本発明によれば、少なくとも２つのブラシにより操作部の回転方向及び回転量を検出する検出装置を備えるレンズ装置において、当該２つのブラシの相対位置を調整可能とすることで、当該回転方向及び回転量を高精度に検出することができる。
【図面の簡単な説明】
【０００９】
【図１】レンズ装置の例を示す断面図である。
【図２】回転検出装置の例を示す断面図である。
【図３】回転検出装置の拡大図である。
【図４】回転検出装置の例を示す斜視図である。
【図５】ブラシユニットがレンズ装置に装着された状態を示す図である。
【図６】ブラシユニットがレンズ装置から外された状態を示す図である。
【図７】ブラシユニットを示す図である。
【図８】環状基板の全体像を示す図である。
【図９】リングホルダ、ベース部、及び環状基板の関係を示す図である。
【図１０】回転検出装置を備えたレンズ鏡筒の例を示す断面図である。
【図１１】図１０の領域Ｘの拡大図である。
【図１２】回転検出装置を備えたレンズ鏡筒の例を示す斜視図である。
【図１３】カメラシステムの例を示す図である。
【発明を実施するための形態】
【００１０】
以下、本発明を実施するための形態について図面を参照して説明する。
尚、各図において、同一の部材及び要素については、同一の参照符号を付すことで、互いに重複する説明を省略する。また、以下の説明では、光軸が延びる方向を光軸方向とする。また、光軸に垂直な方向を径方向と称し、光軸を取り囲む方向を周方向と称する。周方向は、光軸を中心に１周が３６０°である。
【００１１】
（レンズ装置）
図１は、レンズ装置の例を示す。
このレンズ装置１０は、フォーカスレンズ、ズームレンズなどのレンズ位置をマニュアル操作によって変更可能な機能を有する。即ち、ユーザは、レンズ鏡筒１０１に備え付けられた操作部（操作環）６０を回転させることで、当該レンズ位置の調整を行うことができる。尚、レンズ装置１０は、カメラ本体に着脱可能な交換レンズであってもよいし、カメラ本体と常に一体となっていてもよい。
【００１２】
本実施形態では、レンズ装置１０は、交換レンズを前提とする。従って、以下では、説明を簡単にするため、カメラ本体から取り外された状態のレンズ装置の例を説明する。但し、交換レンズは、カメラ本体に装着された状態で、カメラ本体側からオートフォーカスモード、マニュアルフォーカスモード、又はオートフォーカス＋マニュアルフォーカスモードのいずれかが設定される。オートフォーカスモード以外のモードでは、ユーザが操作部６０を回転させることで、その回転方向及び回転量に応じて、レンズ位置の調整が行われる。
【００１３】
レンズ装置１０は、レンズ鏡筒１０１と、フォーカスユニット２０と、固定筒３０と、マウントユニット４０と、を備える。レンズ鏡筒１０１は、操作部６０と、回転検出装置１００と、を備える。回転検出装置１００の詳細については、後述する。フォーカスユニット２０は、レンズ鏡筒１０１のレンズ保持枠１０２に嵌合し、かつレンズ鏡筒１０１に固定される。マウントユニット４０は、レンズ装置１０をカメラ本体に装着するためのユニットである。
【００１４】
フォーカスユニット２０は、案内筒２１と、カム環２２と、超音波モータユニット２３と、フォーカスレンズＬＦと、絞りユニット２４と、を備える。超音波モータユニット２３は、カム環２２を回転駆動する。カム環２２が案内筒２１に対して回転すると、フォーカスレンズＬＦは、矢印に示す方向（光軸方向）に直進駆動する。焦点調整は、このようなフォーカスレンズＬＦのシフトにより行われる。本例では、絞りユニット２４は、フォーカスユニット２０内に含まれる。しかし、絞りユニット２４の位置は、これに限られず、フォーカスユニット２０以外の部分に存在していても構わない。
【００１５】
固定筒３０は、振れ補正ユニット３１と、第４のレンズ保持枠３７と、第４のレンズ群Ｌ４と、を備える。第４のレンズ群Ｌ４は、第４のレンズ保持枠３７に保持される。製品基板３８は、光軸方向から固定筒３０に固定される。
【００１６】
振れ補正ユニット３１は、固定筒３０の内側に配置される。振れ補正ユニット３１は、シフト鏡筒３２と、シフトレンズ群ＬＳと、ボイスコイルモータユニット３３と、を備える。シフトレンズ群ＬＳは、シフト鏡筒３２に保持される。ボイスコイルモータユニット３３は、駆動用マグネット３４と、コイル３５と、ヨーク３６と、を備える。シフトレンズ群ＬＳは、ボイスコイルモータユニット３３によって径方向に駆動される。振れ補正は、このようなシフトレンズ群ＬＳのシフトにより行われる。
【００１７】
製品基板３８は、振れ補正ユニット３１によりシフトレンズ群ＬＳのシフトを制御するための信号の送受信を行う回路及び配線を備える。即ち、製品基板３８は、レンズ装置１０の振れを検出するためのアクチュエータ、及びカメラ本体と通信を行うと共にカメラ本体から電力供給を受けるための接点ユニット４２にそれぞれ接続される。
【００１８】
マウントユニット４０は、マウント４１と、接点ユニット４２と、固定外装環４３と、を備える。マウント４１は、カメラ本体に装着される構造的要素であり、接点ユニット４２は、マウント４１内に組み込まれる。固定外装環４３は、レンズ鏡筒１０１のレンズ保持枠１０２に嵌合される。マウント４１は、固定外装環４３に固定される。
【００１９】
（ブラシ位置調整前のレンズ鏡筒）
次に、ブラシ位置調整前のレンズ鏡筒１０１について、その組立順序に従って、図２乃至図９を参照しながら説明する。
図２及び図４は、回転検出装置１００の例を示す。図３は、図２の回転検出装置１００の拡大図である。図５は、ブラシユニット１１１，１１４がレンズ装置１０に装着された状態を示す。図６は、ブラシユニット１１１，１１４がレンズ装置１０から外された状態を示す。図７は、ブラシユニット１１４を示す。図８は、環状基板１０８の全体像を示す。図９は、リングホルダ１０５、ベース部１０９、及び環状基板１０８の関係を示す。
【００２０】
レンズ鏡筒１０１は、レンズ保持枠１０２を備え、レンズ保持枠１０２は、第１のレンズ群Ｌ１と、第２のレンズ群Ｌ２と、第３のレンズ群Ｌ３とを備える。第１乃至第３のレンズ群Ｌ１，Ｌ２，Ｌ３は、レンズ保持枠１０２に嵌合する。押え環１０３ａ，１０３ｂ，１０３ｃは、それぞれ第１乃至第３のレンズ群Ｌ１，Ｌ２，Ｌ３に当接する面と、レンズ保持枠１０２のネジ部に螺合するネジ部と、を備える。
【００２１】
まず、押え環１０３ａ，１０３ｂ，１０３ｃがレンズ保持枠１０２に締め込まれることで、第１乃至第３のレンズ群Ｌ１，Ｌ２，Ｌ３は、レンズ保持枠１０２に固定される。次に、外装環１０４がレンズ保持枠１０２に組み込まれる。外装環１０４は、光軸方向に複数のネジ穴を有し、レンズ保持枠１０２は、光軸方向に外装環１０４の複数のネジ穴に対応する複数の貫通穴を有する。即ち、ビスを当該複数の貫通穴から当該複数のネジ穴に通すことで、外装環１０４は、レンズ保持枠１０２に固定される。
【００２２】
次に、リングホルダ１０５がレンズ保持枠１０２に組み込むまれる。レンズ保持枠１０２は、光軸方向に複数のネジ穴１０２ｂを有し、リングホルダ１０５は、光軸方向にレンズ保持枠１０２の複数のネジ穴１０２ｂに対応する複数の貫通穴１０５ａを有する。即ち、ビス１０６を当該複数の貫通穴１０５ａから当該複数のネジ穴１０２ｂに通すことで、リングホルダ１０５は、レンズ保持枠１０２に固定される。
【００２３】
次に、環状基板ユニット１０７がリングホルダ１０５に組み込まれる。即ち、リングホルダ１０５のコロ穴１０５ｂに対して定位置回転コロ１１０を挿入すると、定位置回転コロ１１０は、ベース部１０９の周溝１０９ａに係合する。従って、環状基板ユニット１０７は、リングホルダ１０５に対して、定位置回転可能な状態で保持される。ここで、定位置回転可能であるとは、レンズ鏡筒１０１内での位置を変えずに、周方向に回転可能であることを意味する。
【００２４】
尚、環状基板ユニット１０７は、環状基板１０８と、環状基板１０８を固定するベース部１０９と、を備える。環状基板１０８は、図８及び図９から明らかなように、光軸を中心とする周方向に配置される複数の導通部１０８ａを有する。環状基板１０８は、ベース部１０９に対し、例えば、接着剤により固定される。
【００２５】
次に、ブラシユニット１１１，１１４がレンズ保持枠１０２に組み込まれる。ブラシユニット１１４は、複数の導通部１０８ａ上を周方向に摺動可能な第１のブラシ１１５と、第１のブラシ１１５を保持する第１の保持部１１６と、を備える。ブラシユニット１１１は、複数の導通部１０８ａ上を周方向に摺動可能な第２のブラシ１１２と、第２のブラシ１１２を保持する第２の保持部１１３と、を備える。第１のブラシ１１５は、径方向に並んで配置される複数の導電端子１１５ａ、１１５ｂ、１１５ｃを有する。また、第２のブラシ１１２は、径方向に並んで配置される複数の導電端子１１２ａ、１１２ｂ、１１２ｃを有する。
【００２６】
第１の保持部１１６及び第２の保持部１１３は、例えば、樹脂材料から構成される。即ち、ブラシユニット１１４は、いわゆるインサート成型により、第１のブラシ１１５が第１の保持部１１６に一体化されるように形成される。同様に、ブラシユニット１１１も、インサート成型により、第２のブラシ１１２が第２の保持部１１３に一体化されるように形成される。また、第１及び第２のブラシ１１５，１１２は、フレキシブルプリント基板１１７に接続される。この後、フレキシブルプリント基板１１７は、ユニット検査基板（図示せず）、又は製品基板３８に接続される。
【００２７】
そして、第１のブラシ１１５がフレキシブルプリント基板１１７に接続された状態で、第１の保持部１１６は、レンズ保持枠１０２の固定部１０２ｄに固定される。同様に、第２のブラシ１１２がフレキシブルプリント基板１１７に接続された状態で、第２の保持部１１３は、レンズ保持枠１０２の固定部１０２ｄに固定される。ここで、例えば、第１の保持部１１６は、第１の平面部Ｓ１を有し、固定部１０２ｄは、当該第１の平面部Ｓ１に接触する第２の平面部Ｓ２を有する。また、第２の保持部１１３は、第３の平面部Ｓ３を有し、固定部１０２ｄは、当該第３の平面部Ｓ３に接触する第４の平面部Ｓ４を有する。第２及び第４の平面部Ｓ２，Ｓ４は、それぞれ環状基板１０８の所定の一点Ｏにおける法線Ｖに垂直な平面である（図５参照）。
【００２８】
従って、第１の保持部１１６の第１の平面部Ｓ１を固定部１０２ｄの第２の平面部Ｓ２に当接させ、かつビス１１８を第１保持部１１６の長穴（貫通穴）１０２ａから丸穴（ビス穴）１０２ｆに締結することで、第１の保持部１１６は、固定部１１２ｄの第２の平面部Ｓ２上に固定される。また、第２の保持部１１３の第３の平面部Ｓ３を固定部１０２ｄの第４の平面部Ｓ４に当接させ、かつビス１１８を第２保持部１１３の丸穴（貫通穴）１０２ｈから丸穴（ビス穴）１０２ｅに締結することで、第２の保持部１１３は、固定部１１２ｄの第４の平面部Ｓ４上に固定される。その結果、第１及び第２のブラシ１１５，１１２は、周方向に間隙をもって配置されると共に、複数の導通部１０８ａに接触した状態となる。
【００２９】
ここで、例えば、マニュアル操作によってフォーカスレンズＬＦの位置を変更する場合、ユーザは、レンズ鏡筒１０１に備え付けられた操作部６０を回転させることで、フォーカスレンズＬＦの位置の調整を行う。この場合、操作部６０の回転方向及び回転量を正確に検出するために、第１及び第２のブラシ１１５，１１２の相対位置の調整が重要となる。第１及び第２のブラシ１１５，１１２の相対位置の調整は、第１及び第２の保持部１１６，１１３のうちの一方、又は双方をシフトさせることにより行える。
【００３０】
以下では、第２のブラシ１１２の位置を固定した状態で、第１のブラシ１１５の位置をシフトさせることで、第１及び第２のブラシ１１５，１１２の相対位置の調整を行う例を説明する。
【００３１】
この場合、光軸に交差する平面内において、第１の保持部１１６を固定する第２の平面部Ｓ２の幅Ｗ１は、第２の保持部１１３を固定する第４の平面部Ｓ４の幅Ｗ２よりも大きくする（図６参照）。これは、後述するように、第１のブラシ１１５の位置をシフトさせるために、第１の保持部１１６をスライドさせる、比較的に長い第２の平面部Ｓ２が必要だからである。
【００３２】
また、第１のブラシ１１５を固定するためのビス１１８は、ワッシャ１２２及びバネワッシャ１２３を介して、丸穴１０２ｆに仮固定する。この仮固定とは、第１の保持部１１６が固定部１０２ｄの第２の平面部Ｓ２上を直線的にスライドして、第１及び第２のブラシ１１５，１１２の相対位置の調整（上述の間隙の調整）を行える状態にあることを意味する。一方、第２のブラシ１１２の位置は、第１及び第２のブラシ１１５，１１２の相対位置の調整を行う場合に、固定される。このため、第２のブラシ１１２を固定するためのビス１１８は、ワッシャ１２２及びバネワッシャ１２３を介さずに、丸穴１０２ｅに締結される。
【００３３】
この後、第１及び第２のブラシ１１５，１１２の相対位置の調整が行われる。この調整をスムーズに行うため、第１の保持部１１６及び固定部１０２ｄの一方は、凹部１０２ｃを有し、第１の保持部１１６及び固定部１０２ｄの他方は、当該凹部１０２ｃに係合する少なくとも１つの凸部１１６ａを有する。
【００３４】
本例では、凹部１０２ｃは、固定部１０２ｄに設けられ、少なくとも１つの凸部１１６ａは、第１の保持部１１６に設けられる。凹部１０２ｃと少なくとも１つの凸部１１６ａとの関係を図７に示す。このような係合関係にすることで、第１のブラシ１１５は、矢印に示す方向に、ガイドされながらシフトすることとなる。即ち、第１及び第２のブラシ１１５，１１２の相対位置の調整がスムーズに行える。しかも、この調整後に、ビス止めにより第１の保持部１１６を固定部１０２ｄの第２の平面部Ｓ２上に固定する際に、このガイド機構により、第１のブラシ１１５の位置がずれることもない。
【００３５】
尚、本例では、少なくとも１つの凸部１１６ａの数は、２つであるが、これに限られることはない。少なくとも１つの凸部１１６ａは、３つ以上でもよし、又は直線状の１つの凸部でもよい。
【００３６】
そして、凹部１０２ｃ及び少なくとも１つの凸部１１６ａが係合した状態で、第１の保持部１１６が固定部１０２ｄの第２の平面部Ｓ２上を直線的にスライドすることで、第１及び第２のブラシ１１５，１１２の相対位置の調整が行われる。即ち、第１の保持部１１６は、固定部１０２ｄに対して仮固定の状態にある。このため、例えば、偏心ピンを、第１の保持部１１６の第１の調整穴１１６ｂを介して、第１の調整穴１１６ｂに重なる固定部１０２ｄの第２の調整穴１０２ｇに挿入し、かつ回転させることで、第１の保持部１１６は、スライドする。
【００３７】
尚、仮固定状態の第１の保持部１１６をスライドさせる方法は、上述の偏心ピンを用いる方法に限られず、他の方法を用いてもよい。また、第１の保持部１１６のスライド量は、環状基板ユニット１０７を定位置回転させることで得られる電気信号（パルス信号）に基づき判断可能である。環状基板ユニット１０７の定位置回転は、例えば、ベース部１０９の長穴１０９ｂに工具ピンを挿入し、かつ当該工具ピンを手動、又は電動で動かすことで行うことができる。また、環状基板ユニット１０７の定位置回転は、レンズ鏡筒１０１内の所定の箇所を掴むなどして行ってもよい。
【００３８】
このように、凹部１０２ｃ及び少なくとも１つの凸部１１６ａを係合させることで、第１の保持部１１６が直線的にスライドし、第１及び第２のブラシ１１５，１１２の相対位置の調整をスムーズに行うことができる。
【００３９】
また、第１及び第２のブラシ１１５，１１２の相対位置の調整は、第１の保持部１１６を、固定部１０２ｄの第２の平面部Ｓ２上を直線的にスライドさせることにより行う。しかも、当該第２の平面部Ｓ２は、環状基板１０８の所定の一点Ｏにおける法線Ｖに垂直な平面である。この場合、複数の導通部６０を摺動する第１及び第２のブラシ１１５，１１２の周方向の距離が、第１の保持部１１６の直線的なスライド量として近似されるため、さらに、第１及び第２のブラシ１１５，１１２の相対位置の調整が容易化される。
【００４０】
最後に、第１及び第２のブラシ１１５，１１２の相対位置の調整が完了したら、ビス１１８を丸穴１０２ｆに締結し、第１の保持部１１６を固定部１０２ｄの第２の平面部Ｓ２上に固定することで、第１のブラシ１１５の位置を固定する。
【００４１】
以上の回転検出装置１００を備えるレンズ鏡筒１０１によれば、第１及び第２のブラシ１１５，１１２の相対位置を調整可能とすることで、操作部６０の回転方向及び回転量を高精度に検出することができる。
【００４２】
また、第１及び第２のブラシ１１５，１１２が摺動する複数の導通部１０８ａを含む面（光軸に交差する面）と、第１及び第２の保持部１１６，１１３が固定される固定部１０２ｄ上の第２及び第４の平面部Ｓ２，Ｓ４とは、例えば、直交する。この場合、第１のブラシ１１５の位置が確定した後、第１のブラシ１１５の位置をビス１１８により固定する際、ビス１１８の回転力が第１のブラシ１１５の位置に影響を与えることがない。即ち、ビス１１８の回転力は、第１のブラシ１１５を複数の導通部１０８ａに押し付ける方向に作用し、既に調整された第１及び第２のブラシ１１５，１１２の間隙を変化させる方向に作用しない。従って、第１の保持部１１６を固定する際に、第１及び第２のブラシ１１５，１１２の相対位置が変動することもない。
【００４３】
尚、本例では、ブラシユニット１１１，１１４の数は、２つであるが、３つ以上でもよい。また、第１及び第２のブラシ１１５，１１２が有する複数の導電端子１１５ａ，１１５ｂ，１１５ｃ，１１２ａ，１１２ｂ，１１２ｃの数は、３つであるが、１つ、２つ、又は４つ以上でもよい。
【００４４】
（ブラシ位置調整後のレンズ鏡筒）
次に、ブラシ位置調整後のレンズ鏡筒１０１について、さらに、その組立順序に従い、説明する。
図１０及び図１２は、回転検出装置１００を備えたレンズ鏡筒１０１を示す。図１１は、図１０の領域Ｘの拡大図である。
【００４５】
まず、操作部（操作環）６０が上述のレンズ鏡筒１０１に係る回転検出装置１００に組み込まれる。次に、フォーカスコロ１２０が操作部６０に挿入される。フォーカスコロ１２０は、リングホルダ１０５の周溝１０５ｃに対して、周方向に摺動可能な関係となっている。そのため、操作部６０は、リングホルダ１０５に対して定位置回転が可能となる。
【００４６】
次に、軸ビス１２１が操作部６０のネジ穴１１９ａに締め込まれる。軸ビス１２１の軸ビス先端部１２１ａは、ベース部１０９の長穴１０９ａに挿入される。これによって、操作部６０が回転すると、その回転力が軸ビス１２１を介してベース部１０９に伝わる。即ち、操作部６０及び環状基板ユニット１０７は、一体となって回転する。
【００４７】
そして、ユーザがレンズ位置をマニュアル操作によって変更する場合、ユーザは、操作部６０を一定量だけ回転させる。この時、ベース部１０９は、操作部６０に連動して回転する。即ち、ベース部１０９は、固定部１０２ｄに対して周方向に定位置回転し、固定部１０２ｄに固定された第１及び第２のブラシ１１５，１１２は、周方向に配置された複数の導通部１０８ａ上を摺動する。
【００４８】
従って、第１及び第２のブラシ１１５，１１２と複数の導通部１０８ａとの接触／非接触を電気的に処理することで、操作部６０の回転方向及び回転量を検出することができる。例えば、複数の導通部１０８ａの各々を第１乃至第３の部分から構成し、これら第１及び第３の部分を上述の複数の導電端子１１５ａ，１１５ｂ，１１５ｃ，１１２ａ，１１２ｂ，１１２ｃに対応させる。第１乃至第３の部分は、例えば、グランド相、Ａ相、及びＢ相とする。操作部６０が回転操作されると、複数の導電端子１１５ａ，１１５ｂ，１１５ｃ，１１２ａ，１１２ｂ，１１２ｃが、グランド相、Ａ相、及びＢ相の電気信号を検出し、これを、例えば、レンズＣＰＵに伝える。レンズＣＰＵは、当該電気信号を処理することで、操作部６０の回転方向及び回転量を検出することができる。
【００４９】
以上、説明したように、本発明によれば、第１及び第２ブラシ１１５，１１２により操作部６０の回転方向及び回転量を検出する検出装置を備えるレンズ装置１０において、第１及び第２のブラシ１１５，１１２の相対位置を調整可能とすることができる。しかも、第１の保持部１１６及び固定部１０２ｄの一方は、凹部を有し、第１の保持部１１６及び固定部１０２ｄの他方は、当該凹部に係合する凸部を有する。即ち、第１及び第２のブラシ１１５，１１２の相対位置の調整が容易化されると共に、その調整を終えた後、第１のブラシ１１５の位置を固定するビス止めにおいて、第１及び第２のブラシ１１５，１１２の相対位置関係がずれることもない。従って、操作部６０の回転方向及び回転量を高精度に検出することができる。
【００５０】
（カメラシステム）
図１３は、カメラシステムの例を示す。
カメラシステムは、上述のレンズ装置１０と、当該レンズ装置１０が装着されるカメラ本体５０と、を備える。カメラ本体５０は、レンズ装置１０からの光を受光する撮像素子７０を有する。撮像素子７０は、ＣＣＤ、ＣＭＯＳイメージセンサなどである。
本発明は、このようなカメラシステムに適用することも可能である。
【００５１】
（その他の実施形態）
以上、本発明の実施の形態を説明してきたが、本発明はこれらの実施の形態に限定されず、その要旨の範囲内において様々な変更が可能である。
【符号の説明】
【００５２】
１００：  回転検出装置
１０１：  レンズ鏡筒
１０２：  レンズ保持枠
１０２ｂ：  ネジ穴
１０２ｃ：  凹部
１０２ｄ  固定部
１０２ｅ，１０２ｆ：  丸穴（ビス穴）
１０２ｇ  第２の調整穴
１０３ａ，１０３ｂ，１０３ｃ：  押え環
１０４：  外装環
１０５：  リングホルダ
１０６：  ビス
１０７：  環状基板ユニット
１０８：  環状基板
１０８ａ：  複数の導通部
１０９：  ベース部
１１１，１１４：  ブラシユニット
１１２：  第２のブラシ
１１３：  第２の保持部
１１５：  第１のブラシ
１１６：  第１の保持部
１１６ａ  凸部
１１６ｂ  第１の調整穴
１１８：  ビス
１２２：  ワッシャ
１２３：  バネワッシャ
【図１】
2020034831.tif 000003
【図２】
2020034831.tif 000004
【図３】
2020034831.tif 000005
【図４】
2020034831.tif 000006
【図５】
2020034831.tif 000007
【図６】
2020034831.tif 000008
【図７】
2020034831.tif 000009
【図８】
2020034831.tif 000010
【図９】
2020034831.tif 000011
【図１０】
2020034831.tif 000012
【図１１】
2020034831.tif 000013
【図１２】
2020034831.tif 000014
【図１３】
2020034831.tif 000015